(57)【特許請求の範囲】
【請求項１】
建築物の柱に対して配線パイプ等の棒状部材を沿設状態に取り付けるための取付金具であって、
前記柱の幅方向に対して傾斜する方向に延び、かつ前記柱の前面に当接する帯状の正面板部と、該正面板部の両端部から後方に折曲延設され、かつ前記柱の側面に当接する側面板部とを有する取付金具本体と、
該取付金具本体の正面板部に設けられ、かつ前記棒状部材を前記柱の長さ方向に配向させた状態で挟持する挟持部材とを備え、
前記挟持部材は、前記棒状部材を前記柱の長さ方向に配向させた状態で挟持した際に、前記側面板部が前記柱の側面に囓りつき状態に固着するように前記取付金具本体に所定方向の回転モーメントを作用させるべく、その挟持中心軸線が前記正面板部と側面板部の折曲線に対して所定の傾き角度を有するように設定されると共に、
前記側面板部は、後端部から内方に折曲延設され、かつ前記柱の後面に係合する係合縁を有するものとなされていることを特徴とする取付金具。
【発明の詳細な説明】
【０００１】
【発明の属する技術分野】
この発明は、建築物の柱に対して棒状部材を沿設状態に取り付けるための取付金具、さらに詳しくは、プレハブ家屋のような仮設建築物の柱に対して、その柱に沿わせて配線パイプやケーブル等の長尺棒状部材を取り付けるための取付金具に関する。
【０００２】
【従来の技術および発明が解決しようとする課題】
従来、建築物の柱に対して配線パイプ等の棒状部材を沿設状態に取り付けるには、棒状部材を抑え止める断面ハット形状ないしオーム形状等の取付金具を用い、これを柱面にビス、釘等の固着部材で固着し、あるいは接着剤などにより固定するという手法が一般に多く採用されている。
【０００３】
しかしながら、このような従来の取付手法によれば、取付金具そのものの他にビス等の固着部材が必要であり構成部品数が多く、運搬、保管時等の保守管理が厄介であるのみならず、取付金具の固着作業も面倒であった。また、用済み後の取付部材を取り外す場合もその作業が面倒であり、さらには、取付金具が取り外されたあとの柱にはビス孔等の固着部材の取付痕が残り外観性も劣化する。特に工事現場等に用いられる仮設建築物については、資材の繰り返し使用の観点から再利用されることが多いが、上記取付痕の残存に起因して繰り返し使用回数が制限されるという不利益もあった。
【０００４】
この発明は、上述の問題に鑑みてなされたものであって、構成部品数が少なく、また建築物の柱に対する棒状部材の取り付けおよび取り外しが容易に行え、さらに棒状部材の取り付け時および取り外し後の外観性も良く、それでいて十分な取付強度が得られるような取付金具を提供することを目的とする。
【０００５】
【課題を解決するための手段】
この発明は、上記目的を達成するために、建築物の柱に対して配線パイプ等の棒状部材を沿設状態に取り付けるための取付金具であって、
前記柱の幅方向に対して傾斜する方向に延び、かつ前記柱の前面に当接する帯状の正面板部と、該正面板部の両端部から後方に折曲延設され、かつ前記柱の側面に当接する側面板部とを有する取付金具本体と、
該取付金具本体の正面板部に設けられ、かつ前記棒状部材を前記柱の長さ方向に配向させた状態で挟持する挟持部材とを備え、
前記挟持部材は、前記棒状部材を前記柱の長さ方向に配向させた状態で挟持した際に、前記側面板部が前記柱の側面に囓りつき状態に固着するように前記取付金具本体に所定方向の回転モーメントを作用させるべく、その挟持中心軸線が前記正面板部と側面板部の折曲線に対して所定の傾き角度を有するように設定されていることを特徴とする。
【０００６】
これによれば、柱に棒状部材を取り付けるに際しては、まず取付金具の挟持部材の挟持軸線方向が柱の長さ方向にたいしてやや傾斜した状態となるように、取付金具を柱にルーズ状態に取り付けたあと、該取付金具の挟持部材に棒状部材を前記柱の長さ方向に配向させた状態に挟持せしめる。このとき、棒状部材の配向力によって前記取付金具本体に所定方向の回転モーメントが作用し、それに伴って取付金具本体の側面板部は柱の側面に囓り付き状態に固着する。
【０００７】
一方、棒状部材を取り外すに際しては、取付金具の挟持部材から棒状部材を取り外せば、取付金具本体に作用している回転モーメントが解除され、それに伴って側面板部の柱の側面に対する囓り付きも解除されるので、そのまま柱から取付金具を取り外す。
【０００８】
【発明の実施の形態】
次に、この発明を、建築物の柱（Ｂ）に対して配線パイプ（Ｃ）を沿設状態に取り付けるための取付金具（Ａ）に適用した実施形態について説明する。なお、この配線パイプ（Ｃ）は長尺かつ剛性を有するものである。
【０００９】
この取付金具（Ａ）は、図１に示すように、柱（Ｂ）の幅方向に対して傾斜する方向に延び、かつ柱（Ｂ）の前面に当接する帯状の正面板部（１１）と、該正面板部（１）の両端部から後方に折曲延設され、かつ前記柱（Ｂ）の両側面に当接する側面板部（１２）（１２）とを有する取付金具本体（１）と、該取付金具本体（１）の前記正面板部（１１）の表面中央にスポット溶接等により固着され、かつ前記配線パイプ（Ｃ）を保持する挟持部材（３）とからなる。この取付金具（Ａ）はステンレス製が望ましいが、スチールや合成樹脂などその他の材質からものであってもよい。
【００１０】
前記正面板部（１１）は、図２に示すように、一方の端部から他方の端部までの最接近距離（Ｌ１）が前記柱（Ｂ）の幅（Ｗ）よりややや長く、かつ一方の端部から他方の端部までの垂直距離（Ｌ２）が前記柱（Ｂ）の幅（Ｗ）よりやや長い平面視平行四辺形状に形成されている。このように前記最接近距離（Ｌ１）を前記柱（Ｂ）の幅（Ｗ）よりやや長く形成すれば、前記取付金具（Ａ）を柱（Ｂ）に水平状態でスムーズに嵌め入れることができる。また、前記垂直距離（Ｌ２）を前記柱（Ｂ）の幅（Ｗ）よりやや長く形成すれば、前記正面板部（１１）が前記柱（Ｂ）の幅方向に対して傾斜する態様で前記取付金具（Ａ）を柱（Ｂ）に取り付けることができる。
【００１１】
前記側面板部（１２）（１２）は、その横長が前記柱（Ｂ）の側面幅と同程度の矩形状に形成されたもので、その後端部から内方に直角に折曲延設され、かつ前記柱（Ｂ）の後面に係合する係合縁（１２ａ）（１２ａ）を有する。この係合縁（１２ａ）（１２ａ）によれば、前記正面板部（１１）が前記柱（Ｂ）の幅方向に対して傾斜する状態で取付金具（Ａ）を柱（Ｂ）に取り付けた際、取付金具（Ａ）が柱（Ｂ）に対して前方にずれることが防止される。
【００１２】
なお、左側の係合縁（１２ａ）はその下角部がカットされ、かつ右側の係合縁（１２ａ）はその上角部がカットされているが、これは、取付金具（Ａ）を柱（Ｂ）に水平状態で嵌め入れる際、係合縁（１２ａ）（１２ａ）が柱（Ｂ）に引っ掛かることを防止するためである。
【００１３】
前記挟持部材（３）は、上面視略Ｕ字状に形成されたもので、その側部（３ｂ）（３ｂ）が配線パイプ（Ｃ）の外径よりやや小さい内径を有する横断面円弧状に形成されている。このため、配線パイプ（Ｃ）を挟持部材（３）に嵌め込んだ際、挟持部材（３）（３）の側部（３ｂ）（３ｂ）が外方に少し開くように撓み、その撓みにより生じる内方復帰力をもって配線パイプ挟持部材（３）（３）がしっかりと挟持される。
【００１４】
また、前記挟持部材（３）は、図２に示すように、その挟持中心軸線（図２の一点鎖線）が前記正面板部（１１）と側面板部（１２）の折曲線（１３）の方向（図１の細線）に対して左回りの傾斜角度αを有するように設定されている。このため、図２の実線に示すような傾斜状態において、取付金具（Ａ）の挟持部材（３）に配線パイプ（Ｃ）を挟持状態に嵌め込むと、図３に示すように、配線パイプ（Ｃ）の配向力によって前記取付金具本体（１）に右周りの回転モーメントが作用し、それに伴って前記側面板部（３）は前記柱（Ｂ）の側面に囓り付き状態に固着する。
【００１５】
なお、（３ａ）（３ａ）は、前記側面板部（３）の前端部に外方に緩やかに屈曲する案内縁（３ａ）（３ａ）であり、配線パイプ（Ｃ）を挟持部材（３）（３）に嵌め込む際、配線パイプ（Ｃ）を挟持部材（３）（３）の幅方向中央に案内する役割を有する。
【００１６】
次に、配線パイプ（Ｃ）を柱（Ｂ）に取り付けるに際しては、図２の点線に示すように、まず取付金具（Ａ）を柱（Ｂ）に水平状態に嵌め入れて、正面板部（１１）と柱（Ａ）の前面を当接せしめたあと、取付金具（Ａ）を図２の矢印方向に右回りに回転させることによって、図２の実線に示すように、前記正面板部（１１）が前記柱（Ｂ）の幅方向に対して傾斜する状態にする。
【００１７】
そして、そのような傾斜状態において、取付金具（Ａ）の挟持部材（３）（３）に配線パイプ（Ｃ）を嵌め込む。具体的には、配線パイプ（Ｃ）を、挟持部材（３）（３）の案内縁（３ａ）（３ａ）に沿って挟持部材（３）（３）の幅方向中央に案内したあと、挟持部材（３）（３）の前端部の内方復帰力に抗しながら配線パイプ挟持部材（３）（３）に嵌め込み、挟持部材（３）（３）の側部（３ｂ）（３ｂ）の内方復帰力をもってしっかりと挟持せしめる。
【００１８】
このとき、前記挟持部材（３）（３）は、上述のようにその挟持軸線方向（図２の一点鎖線）が前記正面板部（１１）と側面板部（１２）の折曲線の方向（図１の細線）に対して左回りに傾斜角度αで傾斜する状態となされていることから、配線パイプ（Ｃ）の配向力により前記取付金具本体（１）に右周りの回転モーメントが作用し、それに伴って前記側面板部（３）は前記柱（Ｂ）の側面に囓り付き状態に固着する。
【００１９】
一方、配線パイプ（Ｃ）を取り外すに際しては、取付金具（Ａ）の挟持部材（３）（３）から配線パイプ（Ｃ）を前方に向けて抜き取れば、取付金具本体（１）に作用している右回りの回転モーメントも解除され、それに伴って側面板部（１２）（１２）の柱（Ｂ）に対する囓り付き状態も解除されるので、そのまま取付金具（Ａ）を柱（Ｂ）から簡単に取り外すことができる。
【００２０】
なお、この実施形態では、正面板部（１１）は、平面視平行四辺形状に形成するものとしたが、その他の形状に形成してもよい。
【００２１】
また、挟持部材（３）（３）は、側部（３ｂ）（３ｂ）が横断面円弧状に形成されるものとしたが、これに限定されるものでなく、その他の形状に形成されるものであってもよい。
【００２２】
また、挟持部材（３）（３）は、側部（３ｂ）（３ｂ）による内方復帰力をもって配線パイプ（Ｃ）を挟持するものとしたが、クランプ材などのその他の構造により生じる力をもって配線パイプ（Ｃ）を挟持するものとしてもよい。
【００２３】
また、挟持部材（３）（３）は、折曲線（１３）の方向に対して左回りの傾斜角度αに設定したが、その他の傾斜角度に設定してもよい。ただ、挟持部材（３）の傾斜角度をあまり大きくすると、配線パイプ（Ｃ）を柱（Ｂ）の長さ方向に挟持せしめることができなくなる一方、挟持部材（３）の傾斜角度をあまり小さくすると、前記取付金具本体（１）に回転モーメントが作用しなくなるので、好ましくは１度〜８度の傾斜角度、さらに好ましくは２度〜５度の傾斜角度に設定するの良い。
【００２４】
また、挟持部材（３）（３）は、正面板部（１１）の中央に設けるものとしたが、柱（Ｂ）に対する配線パイプ（Ｃ）の取付位置に応じて、正面板部（１１）のその他の箇所に設けるものとしてもよい。
【００２５】
また、挟持部材（３）（３）は、正面板部（１１）に１個だけ設けるものとしたが、複数個設けるものとしてもよい。
【００２６】
また、前記側面板部（１２）は、その後端部に係合縁（１２ａ）を有するものとしたが、係合縁（１２ａ）を有しないものとしてもよい。
【００２７】
また、棒状部材として配線パイプ（Ｃ）を例示したが、その他の剛性を有する棒状部材を採用しても良い。
【００２８】
【発明の効果】
この発明は、上記したような構成を有するものであって、ビス、釘等の固着部材を用いずに配線パイプ等の棒状部材を柱に取り付けるものであるから、従来品よりも構成部品数を少なくでき、運搬、保存等の保守管理に好都合である。
【００２９】
また、柱に対する棒状部材の取り付けは、取付金具を柱に取り付け、さらに該取付金具の挟持部材に棒状部材を挟持せしめることによって行う。このように、取付金具以外にビス、釘、あるいは接着剤等の固着部材や工具類を一切使用することなく棒状部材を柱に取り付けうるので、熟練を要すことなく誰でも極めて簡単に棒状部材を柱に取り付けることができる。
【００３０】
また、棒状部材の取付状態にあっては、棒状部材の配向力により取付金具本体に回転モーメントが作用し、それに伴って取付金具の側面板部が柱の側面に囓りつき状態に固着するので、がたつきを生じない十分な取付強度が得られ、しかも外観性に優れたものとなる。
【００３１】
また、棒状部材を取り外すに際しては、棒状部材を取付金具の挟持部材から取り外し、さらに取付金具を柱から取り外すことにより行うので、棒状部材の取り付けと同様に、何らの器具を使用することなく、しかも簡単に棒状部材を取り外すことができる。
【００３２】
さらには、棒状部材を取り外した後においても、棒状部材の取り付け時にビス等の固着部材を一切使用していないことから、固着部材の取付痕が残ることがなく外観性に優れたものとなる。
【００３３】
以上のように、構成部品数が少なく、また工具類を必要とすることなく柱に対する棒状部材の取り付けおよび取り外しを容易に行え、さらに取り付け時および取り外し後の外観性も良く、それでいて十分な取付強度が得られるので、通常の建築物はもとより、特に工事現場等に用いられる仮設建築物について、資材の繰り返し利用を一層向上させることが可能となる。
【図面の簡単な説明】
【図１】この発明の一実施形態である取付金具の斜視図である。
【図２】図１の取付金具の正面図である。
【図３】図１の取付金具に配線パイプを挟持せしめた状態を示す正面図である。
【図４】図２の取付金具の上面図である。
【符号の説明】
１・・・取付金具本体
１１・・・正面板部
１２・・・側面板部
１２ａ・・・係合縁
１３・・・折曲線
３・・・挟持部材
３ａ・・・案内縁
３ｂ・・・側部
【図１】
0003777100.tif 000002
【図２】
0003777100.tif 000003
【図３】
0003777100.tif 000004
【図４】
0003777100.tif 000005